(57)【要約】【課題】段ボールに収納され、あるいはストック棚に並べて載置されたりトレイやかごに積められたりしたときに、流動食や医薬品の製品名、カロリー量、内容量、成分、薬効量等の異なる種類を識別し易い外装のパウチ容器を提供する。【解決手段】パウチ容器１は、正面側可撓性シートと背面側可撓性シートとが周縁部１２ａ・１２ｂ・１２ｃ・１２ｄを介して設けられ、内容物を収容する袋本体１０と、前記周縁部１２ａ・１２ｂ・１２ｃ・１２ｄに設けられ前記内容物を流出させる流出ポート２０とを有しているパウチ容器であって、前記周縁部１２ａ・１２ｂ・１２ｃ・１２ｄの少なくとも一部には内容物識別標識が設けられており、前記内容物識別標識は、前記内容物の種類毎に異なる位置に配置され及び／又は異なる色彩が呈されている。【選択図】図１
2017145029.tif 000002
【特許請求の範囲】
【請求項１】
正面側可撓性シートと背面側可撓性シートとが周縁部を介して設けられ、内容物を収容する袋本体と、前記周縁部に設けられ前記内容物を流出させる流出ポートとを有しているパウチ容器であって、前記周縁部の少なくとも一部には内容物識別標識が設けられており、前記内容物識別標識は、前記内容物の種類毎に異なる位置に配置され及び／又は異なる色彩が呈されていることを特徴とするパウチ容器。
【請求項２】
前記周縁部は、前記流出ポートと有する天部と、底部と、前記天部と前記底部とを繋ぎ左右両辺に設けられた側部を有し、前記内容物識別標識は、前記側部の何れか一辺に沿って、前記種類毎に異なる位置に配置され及び／又は異なる色彩が呈されていることを特徴とする請求項１に記載のパウチ容器。
【請求項３】
前記内容物識別標識が、前記種類毎に異なっている色彩を付した、文字、図形、図柄、記号、略号、及び／又は模様であることを特徴とする請求項１又は２に記載のパウチ容器。
【請求項４】
前記内容物識別標識が、前記袋本体の表面の地模様色と異なりつつ、前記種類毎に異なった前記色彩が付されていることを特徴とする請求項１から３のいずれかに記載のパウチ容器。
【請求項５】
前記内容物識別標識が、前記種類毎に異なる、フォント、数、大きさ、長さ、幅、太さ、及び／又は広さで付されていることを特徴とする請求項３に記載のパウチ容器。
【請求項６】
収容されている前記内容物が、溶液状、ゾル状、とろみ状、半固形状、ゲル状、ゼリー状、粉体状、又は粒子状の流動食又は医薬品であることを特徴とする請求項１から５のいずれかに記載のパウチ容器。
【請求項７】
前記流出ポートが、患者に接続されるチューブに接続されたコネクターを装着するものであることを特徴とする請求項１から６のいずれかに記載のパウチ容器。
【請求項８】
前記種類毎に、製品名、カロリー量、内容量及び成分のいずれかが異なるものであって、それに応じて、前記内容物識別標識が付されていることを特徴とする請求項１から7のいずれかに記載のパウチ容器。
【請求項９】
前記内容物識別標識が、少なくとも幅３ｍｍで長さ５ｍｍとする線状の図形を有することを特徴とする請求項１から８のいずれかに記載のパウチ容器。
【発明の詳細な説明】
【技術分野】
【０００１】
本発明は、主として、エネルギーやビタミン類が含有された半固形状やとろみ状等の流動食を収容するパウチ容器に関する。
【背景技術】
【０００２】
食道癌摘出のような消化器外科手術や脳外科手術の直後の患者、脳梗塞後遺症や認知症のような神経障害・高齢で寝たきりの患者は、消化管機能が保たれているが嚥下機能に障害があるために経口摂食できない。このような患者は、鼻腔や胃瘻・空腸瘻から胃や腸等の消化管に挿入したチューブを介し、とろみ状や半固形状の流動食を経腸栄養剤として直接投与して、生体維持に必要な栄養が補給される。
【０００３】
また、流動食なら経口摂取できるが普通食を摂取できるようになるまで暫定的に固形食制限されている患者は、エネルギー補給成分やビタミン類が含有されているゾル状・ゲル状・ゼリー状等の流動食が、経口投与される。
【０００４】
また、急性脱水症状により脈管内の体液の水分や電解質が不足している体調不良の患者には、緊急にそれらを補充しなければならない。このような患者は、溶液状のリンゲル液のような医薬品が抹消静脈から輸液処置により、投与される。あるいは、手術後に数日以上経口摂取できない患者に、溶液状の高カロリー輸液のような医薬品が、中心静脈から投与される。
【０００５】
これらの流動食や医薬品は、これらを内容物としてパウチ容器に収容されて封入された状態で、流通し、医療機関等で使用される。
【０００６】
これらの流動食や医薬品は、患者の症状や回復過程に応じ、順次変更される。そのため、製品名、カロリー量、内容量、成分、薬効量が異なる極めて多品種が使用される。
【０００７】
これら流動食や医薬品は、通常、ストック棚に、見え易くかつ取り出し易いように多品種の種類毎にまとめて置かれているか、搬送用の段ボールにそのまま保管されている。看護師、介護士又は栄養士等の担当者が投与指示に従い、製品名や製品番号を見て所望のこれら流動食や医薬品を取り出す。これらは、トレイやかごに積められてカートに載せられてから、場合よっては、別な担当者によりダブルチェックされ、準備される。
【０００８】
その後、これら流動食や医薬品が、患者のもとに運ばれ、投与指示に適合しているか再度チェックされてから、投与される。
【０００９】
これら流動食や医薬品は、同一メーカーの同じ製品名でもカロリー量、内容量、成分、薬効量が異なるシリーズ群であったり、また異なるメーカー毎でも同様に、同じ製品名で、カロリー量・内容量等が異なったりするものが販売されており、これらの多品種が、同じストック棚に保管される可能性もある。この場合、それらを収容しているパウチ容器の製品名やカロリー量等の製品表示が似ていることに起因して、誤って取り出してしまうおそれがある。また、段ボールに収納されている場合、一見して、製品名、カロリー量、内容量等が、判別しにくい場合もある。
【００１０】
また、ダブルチェックの際に間違いを気付くことがあるが、そのような場合、正しい流動食や医薬品を取り出し直さなければならず、作業効率の低下や労働時間の無駄を生じるおそれがある。
【００１１】
特許文献１に、スパウト付きパウチ容器のスパウト部を出し入れ可能な第１開口部と、第１開口部に連続して形成され、スパウト部を保持する第２開口部と、第２開口部の第１開口部側とは反対側に、第２開口部側へ向かって延びるように形成され、第２開口部側の端部が可動自在な爪部とを備える、スパウト付きパウチ容器の吊り下げフックが開示されている。このようなフックはパウチを陳列する際に、パウチ容器外装が見え易くなるが、段ボールに収納されたり、棚に多品種の種類毎にパウチ容器をまとめて載置したりトレイやかごに積めたりした場合、パウチが重なり合い隣り合うパウチ容器外装を覆い隠すため、一見しただけでは各品種を識別し難い。
【００１２】
これらのパウチ容器を、収納されている段ボールや多品種並べて載置したストック棚から取り出す際やトレイやかごに積めている際に、どの方向からでも目視でき、品種の種類を目立出せ、所望のパウチ容器を間違わずに取り出せるように識別し易い外装であることが求められていた。
【先行技術文献】
【特許文献】
【００１３】
【特許文献１】特開２００９−１６５５３４号公報
【発明の概要】
【発明が解決しようとする課題】
【００１４】
本発明は前記の課題を解決するためになされたもので、段ボールに収納され、あるいはストック棚に並べて載置されたりトレイやかごに積められたりしたときに、流動食や医薬品の製品名、カロリー量、内容量、成分、薬効量等の異なる種類を識別し易い外装のパウチ容器を提供することを目的とする。
【課題を解決するための手段】
【００１５】
前記の目的を達成するためになされた本発明のパウチ容器は、正面側可撓性シートと背面側可撓性シートとが周縁部を介して設けられ、内容物を収容する袋本体と、前記周縁部に設けられ前記内容物を流出させる流出ポートとを有しているパウチ容器であって、前記周縁部の少なくとも一部には内容物識別標識が設けられており、前記内容物識別標識は、前記内容物の種類毎に異なる位置に配置され及び／又は異なる色彩が呈されていることを特徴とするパウチ容器である。
【００１６】
また、本発明のパウチ容器は、前記周縁部は、前記流出ポートと有する天部と、底部と、前記天部と前記底部とを繋ぎ左右両辺に設けられた側部を有し、前記内容物識別標識は、前記側部の何れか一辺に沿って、前記種類毎に異なる位置に配置され及び／又は異なる色彩が呈されていることを特徴とするパウチ容器である。
【００１７】
また、本発明のパウチ容器は、前記内容物識別標識が、前記種類毎に異なっている色彩を付した、文字、図形、図柄、記号、略号、及び／又は模様であることを特徴とするパウチ容器である。
【００１８】
また、本発明のパウチ容器は、前記内容物識別標識が、前記袋本体の表面の地模様色と異なりつつ、前記種類毎に異なった前記色彩が付されていることを特徴とするパウチ容器である。
【００１９】
また、本発明のパウチ容器は、前記内容物識別標識が、前記種類毎に異なる、フォント、数、大きさ、長さ、幅、太さ、及び／又は広さで付されていることを特徴とするパウチ容器である。
【００２０】
また、本発明のパウチ容器は、収容されている前記内容物が、溶液状、ゾル状、とろみ状、半固形状、ゲル状、ゼリー状、粉体状、又は粒子状の流動食又は医薬品であることを特徴とするパウチ容器である。
【００２１】
また、本発明のパウチ容器は、前記流出ポートが、患者に接続されるチューブに接続されたコネクターを装着するものであることを特徴とするパウチ容器である。
【００２２】
また、本発明のパウチ容器は、前記種類毎に、製品名、カロリー量、内容量及び成分のいずれかが異なるものであって、それに応じて、前記内容物識別標識が付されていることを特徴とするパウチ容器である。
【００２３】
また、本発明のパウチ容器は、前記内容物識別標識が、少なくとも幅３ｍｍで長さ５ｍｍとする線状の図形を有することを特徴とするパウチ容器である。
【００２４】
パウチ容器は、前記可撓性シートが、少なくとも一部で、前記内容物を見通せるように透明となっているものであってもよい。
【発明の効果】
【００２５】
本発明のパウチ容器は、それに収容され封入されている流動食や医薬品である内容物の商品名、カロリー量、内容量、成分、薬効量が異なっているにも関わらず、それらの製品表示の違い以外、一見してパウチ容器外装の製品名や商品デザインコンセプトが同一であったり似ていたりしたとしても、内容物識別標識によって、簡易かつ確実に区別される。
【００２６】
このパウチ容器は、内容物の種類毎に内容物識別標識が、周縁部の異なる位置に配置されたり異なる色彩を呈したりしていることにより、視覚的に、簡易かつ確実に区別でき、その種類毎に、つまり、製品名、カロリー量、内容量、成分又は薬効量の違いを視覚的に認知されるものである。なお、本願発明において、同じ製品名であっても、カロリー量や内容量が異なるものは、異なる種類のものとなる。
【００２７】
このパウチ容器は、可撓性シートの周縁部と必要に応じて側部や天部や底部とに内容物識別標識が付されていると、それを目視するだけでカロリー量や内容量や成分や薬効量等の多数の情報を一挙に表示していることになるので、インジケータとして有用である。
【００２８】
とりわけ、このパウチ容器は、可撓性シートの周縁部に内容物識別標識が付されているため、パウチ容器側部を手前となるように、段ボールに収納されたり、ストック棚に並べられたり、トレイやかごに積められたりしたときに、側部側からしか見えなくとも、製品名、カロリー量や内容量や成分や薬効量等の異なる種類を、簡易かつ確実に区別して認知される。
【００２９】
このパウチ容器は、段ボールに収納されたり、ストック棚に並べられたり、トレイやかごに積められたりしたときに、担当者が間違うことなく取り出すことができる。また、このパウチ容器によれば、取り出しミスの所為により再度取り出しする面倒な行為の必要が無くなるので効率が高まるうえ、労務時間の軽減を図り、無駄を無くしてコスト削減に資することができる。
【００３０】
このパウチ容器によれば、製品名、カロリー量、内容量、成分、薬効量の違いを細分化し商品シリーズ群が一層、多種類化したとしても、内容物識別標識をその位置で区別し、さらに必要に応じて内容物識別標識を色彩付きの文字・図形・図柄・記号・略号・模様と、フォント・数・大きさ・長さ・幅・太さ・広さとを組み合わせて区別するようにして、多様化に対応できる。
【００３１】
さらに、このパウチ容器によれば、内容物識別標識を、然程、大きくする必要がないので、パウチ容器の外装に本来記載すべき、製品名や製品表示を阻害することなく、内容物の種類を確実に示すことができる。
【００３２】
しかも、このパウチ容器によれば、簡素な構成の内容物識別標識により、インジケータとして内容物の種類や内容物のような複数の情報を簡便かつ確実に示すことができる。また、このパウチ容器を製造するにあたり、従来の製造装置・ラインを変更することなく、印刷原版を変更するだけで済み、かつ面倒な工程を必要としないので簡便かつ安価に製造することができる。
【図面の簡単な説明】
【００３３】
【図１】本発明を適用するパウチ容器の一例を示す正面図である。
【図２】本発明を適用する別なパウチ容器の商品群毎の違いを示す一部切欠き正面図である。
【図３】本発明を適用する別なパウチ容器の商品群毎の違いを示す一部切欠き正面図である。
【図４】本発明を適用する別なパウチ容器の商品群毎の違いを示す一部切欠き正面図である。
【図５】本発明を適用するパウチ容器の製造途中を示す斜視図である。
【図６】本発明を適用する別なパウチ容器の態様を示す斜視図である。
【図７】本発明を適用するパウチ容器の使用状態の一例を示す斜視図である。
【図８】本発明を適用するパウチ容器の別な使用状態の一例を示す斜視図である。
【図９】本発明を適用する別なパウチ容器の態様を示す正面図である。
【図１０】本発明を適用する別なパウチ容器の使用状態を示す斜視図である。
【発明を実施するための形態】
【００３４】
以下、本発明を実施するための形態を詳細に説明するが、本発明の範囲はこれらの形態に限定されるものではない。
【００３５】
本発明のパウチ容器の一態様を、図１を参照しながら、説明する。
【００３６】
パウチ容器１は、正面図である図１に示す通り、正面側と背面側の可撓性シートの側部側の周縁部１２ｂ・１２ｄで熱融着されることで外形が略矩形の袋状になっている袋本体１０と、袋本体１０に収容されて封入されている内容物、例えば半固形状やとろみ状の流動食と、内容物を患者の消化管内へ流出させるチューブ（図１０参照）に接続でき袋本体１０の天部の端辺にある周縁部１２ａの中央部で内容物を流出可能に熱融着されている流出ポート２０とを、備えている。
【００３７】
袋本体１０は、可撓性シートが底部辺にて正面側と背面側とで山折りに折り返され、底部にて谷折りなって繋がっており、底部近傍の周縁部１２ｃで側部側ほど広く熱融着されていることにより、押し広げられ得る底部を形成している。袋本体１０は、内容物が封入されていることにより膨らんでおり、外形が扁平している。
【００３８】
流出ポート２０は筒状をなしており、パウチ容器１の内部に連通している。流出ポート２０はキャップ２１が、液密となるように取り付けられている。流出ポート２０は、患者の消化管内へ流出させるチューブに接続される筒部２２が設けられている。
【００３９】
袋本体１０は、正面側の露出面に、不透明な有彩色の色彩の地模様が印刷され、メーカー名、製品名、製品番号、カロリー量及び内容量等の製品表示１３が印刷され、背面側の露出面に、成分、薬効量、メーカー名、有効期限、注意書きのような製品内容物表示（不図示）とが印刷されている。
【００４０】
パウチ容器１は、正面側と背面側とで、左右両方の側部側の周縁部１２ｂ・１２ｄで周縁辺に沿って、熱融着された側部側の周縁部１２ｂ・１２ｄの幅と同程度の幅を有する所定の太さの線状であって、製品名及び品番とカロリー量及び内容量とに対応するように、地模様と異なる色彩の内容物識別標識１１が、天部寄りに印刷されている。この位置に印刷された内容物識別標識１１は、例えば同図（ａ）に図示されている通り流動食である内容物が製品名「栄養剤Ａ」で４００ｋｃａｌであることを示している。このパウチ容器１は、例えば別な内容物を収容した異なる種類のパウチ容器１’として同図（ｂ）に図示されているような同じ製品名「栄養剤Ａ」で３００ｋｃａｌのものと区別するため、両者の両方の内容物識別標識１１・１１’が異なる位置である側部側の天部寄りと略中央とに夫々配置されるように調整されている。それによって、製品名「栄養剤Ａ」で４００ｋｃａｌと３００ｋｃａｌとが、並んでストック棚に載置されたりトレイやかごに一緒に積められたりしていたとしても、目視で簡易かつ確実に区別できるようになっている。
【００４１】
内容物識別標識１１は、パウチ容器１の側部側の周縁部１２ｂ・１２ｄの正面側と背面側との両方に付されていてもよい。
【００４２】
パウチ容器１の内容物識別標識１１は、線状の図形と並んで、製品名とカロリー量とを略記する「栄養剤Ａ４００」の文字が付されていてもよい。その文字は、線状の図形上に、黒字又は有彩色で付されていてもよく、白抜き文字として付されていてもよい。
【００４３】
内容物識別標識１１は、パウチ容器１の片方の側部側の周縁部１２ｂ又は１２ｄにのみ、付されていてもよい。図２（ａ）・（ｂ）に示すように、パウチ容器１は、別な種類の内容物を示す内容物識別標識１１として、種類毎に、付す位置を変えず色彩や模様だけを変えたものであってもよい。図２（ａ）・（ｂ）においては、内容物識別標識は、「栄養剤Ａ」及び「栄養剤Ｂ」の４００ｋｃａｌの品種として、色彩だけが異なっている。
【００４４】
図２（ａ）・（ｃ）に示すように、パウチ容器１は、別な種類の内容物を示す内容物識別標識１１として、種類毎に、付す位置を変えつつ、色彩や模様をさらに変え、例えば「栄養剤Ａ」の４００ｋｃａｌの品種と、「栄養剤Ｂ」の３００ｋｃａｌの品種との種類を区別するものであってもよい。
【００４５】
図２（ｃ）・（ｄ）に示すように、パウチ容器１は、別な種類の内容物を示す内容物識別標識１１として、種類毎に、付す位置を変えつつ色彩や模様をさらに変え、さらに袋本体１０の大きさを一見して区別できるように変えて、例えば「栄養剤Ｂ」の３００ｋｃａｌの品種と、「栄養剤Ｃ」の３００ｋｃａｌの品種との種類を区別するものであってもよい。
【００４６】
内容物識別標識１１は、図３の通り、同図（ａ）のように模様からなり、例えば４００ｋｃａｌを暗示する４重線からなるものであってもよく、同図（ｂ）のように円弧状の図形や、３００ｋｃａｌを暗示する三角形や４００ｋｃａｌを暗示する台形等の目立つ図形であってもよい。また同図（ｃ）のように製品名「栄養剤Ａ」又はその製品名の略称「Ａ」とカロリー数「４００」とのような文字のみからなっていてもよい。同図（ｄ）のように製品名「栄養剤Ａ」の４００ｋｃａｌを想起する装飾文字「Ａ」を４つ並べた模様であってもよい。内容物識別標識１１は、色彩を付した、文字、図形、図柄、記号、略号、模様を複数組み合わせてもよい。
【００４７】
内容物識別標識１１は、図４の通り、同図（ａ）・（ｂ）のように袋本体１０の表面の地模様の色彩と異なりつつ、種類毎に異なった色彩が付されているものであってもよい。さらに、内容物識別標識１１は、必要に応じて、種類毎に、同色の色彩で、底部の近傍の周縁部１２ｃ及び天部の近傍の周縁部１２ａの何れかに沿って複数設けられていてもよい（図４では、底部の近傍に設けられている）。内容物識別標識１１は、袋本体１０の表面の地模様の色彩の補色に近い色彩、又は製品名等の表示の色彩と同系色の色彩にすることにより、目立たせてもよい。
【００４８】
内容物識別標識１１や地模様の色彩は、内容物の種類毎に識別できるものであればよく、例えば、オレンジ色、赤紫色、ベージュ色、ピンク色、黄色、黄緑色、水色、緑色、青色、茶色、紺色、紫色、赤色、黒色が挙げられる。内容物識別標識１１は、地模様を白抜きにした色彩であってもよい。
【００４９】
内容物識別標識は、図４（ａ）・（ｂ）と（ｃ）とのように、種類毎に、付す位置を変えつつ色彩や模様をさらに変え、さらに必要に応じパウチ容器１の大きさを一見して区別できるように変えて品種の種類を区別するものであってもよい。
【００５０】
内容物識別標識１１は、袋本体１０に付された製品表示１３と同系色であることによって、その色彩をインジケータとして一層際立たせてもよい。
【００５１】
内容物識別標識１１は、例えばカロリー数に応じて区別できるように、大きさ、長さ、幅、太さ、広さを変えてもよく、フォントやそのサイズを変えてもよい。
【００５２】
内容物識別標識１１は、線状の図形である場合、少なくとも幅３ｍｍで長さ５ｍｍとすることが好ましい。さらに、１０ｍｍ〜３０ｍｍであることが、より好ましい。幅が狭過ぎたり長さが短過ぎたりすると、識別性が低下してしまう。
【００５３】
パウチ容器１に収容されている内容物としては、半固形状、とろみ状、溶液状、ゾル状、ゲル状、ゼリー状、粉体状、粒子状の流動食や医薬品などが挙げられる。
【００５４】
パウチ容器１は、図５のようにして製造される。先ず、キャップ２１を取り付けた筒部２２及びその根元の台座２３とを熱可塑性プラスチックで射出成形等により成形する。次いで、パウチ容器形成用の可撓性シート１６を成す熱可塑性プラスチックシートの露出面にインキで印刷して、正面側となる位置と背面側となる位置とにメーカー名・製品名・カタログ番号・成分・用量・容量・熱量などの重要な記載項目（図５中、省略）と、周縁部１２ｂ・１２ｄの一部に内容物の種類毎に予め決められている所定の内容物識別標識１１と、有彩色の背景色又は白地からなる着色層とを、印刷する。内容物の容量に合わせ長矩形となるようにパウチ容器１の所定の大きさに裁断してから、ガセット折りして、パウチ容器形成用の可撓性シート１６を形成する。
【００５５】
ガセット折りした可撓性シート１６の天部となる両片隅部から底部の両片隅部へ至る側辺に沿って、周縁部１２ｂ・１２ｃを熱融着する。次いで、底部の端辺に沿って、両片隅部に近づく程、大きく、周縁部１２ｃを熱融着し、開口した袋状のソフトバッグである袋本体１０にする。その周縁部１２ｃに、懸け吊り穴１５を、穴開けパンチで、貫通して開ける。パウチ容器１の天部端辺になる袋本体開口を、その中央で流出ポート２０の台座２３ごと、熱融着して封止し、パウチ容器１を作製する。
【００５６】
パウチ容器１は、内容物識別標識１１を有し前記と同様の可撓性シートで形成されたもので、自立できるように外形が、図６（ａ）に示す通り底部に谷折りの筋目を有する底ガセットタイプのガセット袋であってもよく、同図（ｂ）に示すように側部に谷折りの筋目を有する横ガゼットタイプのガセット袋であってもよい。内容物識別標識１１はガセット折りされた側部に付されていてもよい。必要に応じ天部又は底部にも付されていてもよい。また、パウチ容器１は、同図（ｃ）に示すように折れ目無しに２枚の可撓性シートが全周縁部で接合された包装袋であってもよい。
【００５７】
パウチ容器１は、内容物識別標識１１及び製品表示１３以外は内部を見通せるように透明になっていてもよい（不図示）。
【００５８】
パウチ容器１は、以下のようにして使用される。内容物が充填され滅菌あるいは殺菌されたパウチ容器１は、多品種の種類毎に、半ダース、１〜４ダース、又は５乃至２０個が段ボール箱に梱包されて、病院や介護施設のような医療機関等に出荷される。入荷されたら、開梱して、図７に示すように、数個ずつストック棚に載置する。このとき、別な種類のパウチ容器も、同様に数個ずつ並べ同一段又は別な段に分けてストック棚に載置する場合もある。同図に示すように、例えば、上段には、「栄養剤Ａ」の４００ｋｃａｌの製品と３００ｋｃａｌの製品とを、それぞれまとめ、パウチ容器の側面側の周辺部が手前となるようにして、載置する。下段には、「栄養剤Ｂ」の４００ｋｃａｌの製品と３００ｋｃａｌの製品とを、それぞれまとめ、同じように載置する。なお、パウチ容器１は、内容物が封入されていることにより膨らんでおり、外形が扁平しているので、隣り合うパウチ容器１の表面同士が重なり合うこと無く、内容物識別標識１１同士の間に隙間生じている。そのため、パウチ容器１の側面側の周辺部に印刷されている内容物識別標識１１が、ストック棚の前方からであればどの方向からでも見えるようになっている。そのパウチ容器１は、同じ製品名でもカロリー量、内容量、成分が品番毎に異なる多種類のシリーズ群となっているが、内容物識別標識１１によって、多種類の何れであるかを認識できる。そのため、複数の患者への投与指示に基づき、担当者が、所望のパウチ容器を夫々間違うこと無く取り出すことができる。
【００５９】
取り出したパウチ容器１は、図８に示す通り、倒してカート上のトレイやかごに積め、患者のもとに運ばれる場合もある。このとき、パウチ容器１は、トレイやかごに、ストック棚の各段に多数纏めて並んで載置されているよりも、Ｇ１〜Ｇ６種類群のような多品種が、一緒に積められている。パウチ容器１の側面側の周辺部に印刷されている内容物識別標識１１が、トレイやかご上で、上方から見えている。たとえ多種類が整頓され又はランダムに一緒に積めされていても、内容物識別標識１１によって、多種類の何れであるかを認識できる。パウチ容器１は、別な担当者によりダブルチェックされた後、患者への投与指示に基づき、患者毎に分配され、投与される。
【００６０】
パウチ容器１は、図９に示す通り、可撓性シートの一部が流動内容物を見通せるようにＪ字状の透明になっており周縁部１２ｃに沿って設けられている内視窓１４を、内容物識別標識１１と共に、有していても良い。内視窓１４は、内容物識別標識１１が、共に並列されていてもよい。内視窓１４には内容量を示す目盛が付されていてもよい。内視窓１４を介してパウチ容器１の内部を外界から視認することができるので、封入された内容物の減り具合を視認することができる。
【００６１】
パウチ容器１は、図９の通り、懸け吊り穴１５で懸け吊られたときに、製品名等を読めるように、流出ポート２０向きに製品名等の製品表示１３が表示されていてもよい。この場合、パウチ容器１は、ガセット袋の底部が同図の周縁部１２ｃ側となるので、ストック棚に載置する際、製品表示１３が逆さまになっていて読み取り難い。しかし、パウチ容器１の側部側の周縁部１２ｂ・１２ｄに設けられた内容物識別標識１１ｂ・１１ｄにより、パウチ容器１の多品種の種類や流体内容物の種類を簡便かつ確実に認知することができる。さらに、流出ポート２０側の周縁部１２ａと底部側の周縁部１２ｃとに、内容物識別標識１１ａと１１ｃとが付されていてもよい。例えば、周縁部１２ａに製品表示１３と逆向きに内容物識別標識１１ａとして「栄養剤Ａ４００」の文字と、周縁部１２ｃに製品表示１３と順向きに内容物識別標識１１ｃとして「栄養剤Ａ４００」の文字とが、付されている。
【００６２】
図９で示されるパウチ容器１は、内容物がとろみ状の流動食の場合、病室等で、図１０のようにして使用される。先ず、投与すべき内容物が正しいか、投与指示に基づき、製品名、製品番号、内容物識別標識１１で最終チェックする。患者３０の胃に経皮内視鏡的胃瘻造設術で形成された胃瘻２８へ、チューブ２５の患者側コネクター２７を接続する。パウチ容器１のキャップ２１を開封し、チューブ２５のパウチ容器側コネクター２４に流出ポート２０の筒部２２の根元に設けた螺合部を螺合させる。なお、コネクターは螺合部を設けずに、流出ポート２０の筒部２２の段差で抜け落ちないように接続するものであってもよい。次いで、懸け吊り穴１５をスタンド４０のフック４１に通して、パウチ容器１を懸け吊る。パウチ容器１は自重により多少傾いている。そして、チューブ２５の流路を閉じているクレンメ２６を開くことで、内容物がパウチ容器１から緩々とチューブ２５へ流出し、患者側コネクター２７、胃瘻２８を経て、患者３０の胃へ投与される。
【００６３】
パウチ容器１は、使用直前に、テーブル上で、一部重ねながら、又は重ならないように、並べて、チェックする場合であっても、内容物識別標識によって、簡便かつ確実に多品種の種類の違いを区別して認知することができる。
【００６４】
パウチ容器１の内容物識別標識１１の位置・色彩や、その文字・図形・図柄・記号・略号・模様と、それに対応する製品とを、一覧表にして、関連付けておき、ストック棚やトレイ・かごに備えつけておいてもよい。
【産業上の利用可能性】
【００６５】
本発明のパウチ容器は、手術直後の患者、寝たきりの患者のように摂食障害のある患者の消化管に流動食を直接投与する際や、流動食を経口で投与する際に用いることができる。また、血管に投与する輸液剤に使用することもできる。
【符号の説明】
【００６６】
１・１’はパウチ容器、１０は袋本体、１１・１１’は内容物識別標識、１２ａ・１２ｂ・１２ｃ・１２ｄは周縁部、１３は製品表示、１４は内視窓、１５は懸け吊り穴、１６は可撓性シート、２０は流出ポート、２１はキャップ、２２は筒部、２３は台座、２４はパウチ容器側コネクター、２５はチューブ、２６はクレンメ、２７は患者側コネクター、２８は胃瘻、３０は患者、４０はスタンド、４１はフック、Ｇ１・Ｇ２・Ｇ３・Ｇ４・Ｇ５・Ｇ６は種類群である。
【図１】
2017145029.tif 000003
【図２】
2017145029.tif 000004
【図３】
2017145029.tif 000005
【図４】
2017145029.tif 000006
【図５】
2017145029.tif 000007
【図６】
2017145029.tif 000008
【図７】
2017145029.tif 000009
【図８】
2017145029.tif 000010
【図９】
2017145029.tif 000011
【図１０】
2017145029.tif 000012